(57)【要約】【課題】  ＧＰＳ受信機機能を備えた携帯電話機を使用しないでも、利用者の現在位置を特定可能にして広告情報を配信できるようにした広告情報配信システムを提供する。【解決手段】  利用者が所有する携帯電話機と、自動販売機と、携帯電話機及び自動販売機と通信可能に接続されたサーバとからなり、携帯電話機は、利用者のメールアドレスが記憶された非接触ＩＣ媒体が搭載され、自動販売機は、メールアドレスを読み取る読取手段と、自動販売機を特定する固有情報が記憶された記憶手段と、読み取られたメールアドレスと固有情報とをサーバに送信させる手段とを備え、サーバは、固有情報と広告情報とが関係付けられて登録されているデータベースと、メールアドレスと固有情報とを受信した場合に、データベースに該固有情報と関係付けられている広告情報を抽出する抽出手段と、抽出された広告情報を、受信したメールアドレス宛てに配信する配信手段とを有する。【選択図】        図１
2007304907.tif 000002
【特許請求の範囲】
【請求項１】
利用者が所有する携帯電話機と、自動販売機と、前記携帯電話機及び前記自動販売機と通信可能に接続されたサーバとを用いて、前記携帯電話機に対して広告情報を提供する広告情報配信システムであって、
前記携帯電話機は、前記利用者のメールアドレスが記憶された非接触ＩＣ媒体が搭載され、
前記自動販売機は、前記非接触ＩＣ媒体からメールアドレスを非接触で読み取る読取手段と、個々の自動販売機を特定するための固有情報が記憶された記憶手段と、前記読取手段で読み取られたメールアドレスと前記固有情報とを前記サーバに送信させる手段とを備え、
前記サーバは、前記固有情報と配信用の広告情報とが関係付けられて登録されているデータベースと、前記自動販売機からメールアドレスと固有情報とを受信した場合に、前記データベースに該固有情報と関係付けられて登録されている広告情報を抽出する抽出手段と、前記抽出手段で抽出された広告情報を、前記受信したメールアドレス宛てに配信する配信手段とを有することを特徴とする広告情報配信システム。
【請求項２】
前記データベースに登録されている個々の広告情報は、設置されている複数の自動販売機の中で、前記広告情報で広告する店舗の場所に対して、もっとも近い場所に設置されている自動販売機を特定する固有情報と関係付けられて登録されていることを特徴とする請求項１記載の広告情報配信システム。
【請求項３】
前記広告情報が、ＵＲＬ情報、店舗の場所情報、バーゲン情報、イベント情報、のいずれかの情報を含んでいることを特徴とする請求項１又は請求項２に記載の広告情報配信システム。
【発明の詳細な説明】
【技術分野】
【０００１】
本発明は、利用者が所有する携帯電話機と、自動販売機と、前記携帯電話機及び自動販売機と通信可能に接続されたサーバとを用いて、前記利用者の携帯電話機に対して広告情報を提供する広告情報配信システムに関する。
【背景技術】
【０００２】
従来、広告配信として消費者が所有する携帯電話機に対して、広告情報を配信するシステムは知られている。（例えば、特許文献１、２、３、参照）
このような携帯電話機を利用した広告配信システムでは、予め広告主からの依頼を受けた広告仲介業者が管理する広告情報データベースに、予め配信するための広告情報を登録させておき、携帯電話機に広告情報の配信を行うようにしてある。
【０００３】
携帯電話機は外出する際にどこへでも持ち運べることから、様々な外出先におけるその場所近辺の店舗情報などをタイムリーに入手することができ、必要に応じて、レストラン、喫茶店、ショップやバーゲン、イベントなど様々な広告情報を簡単に入手して活用することができる。
また、利便性を高めるために、ＧＰＳ受信機機能を備えた携帯電話機を使用して、利用者の現在位置を簡単に把握できるようにして、その現在位置を中心とした所定領域にある店舗情報やイベント情報などの広告情報を利用者の携帯電話機に配信するシステムも提案されている。
【０００４】
【特許文献１】特開２００１−３５２４０３号公報
【特許文献２】特開２００１−３５９１６６号公報
【特許文献３】特開２００２−９２４７３号公報
【０００５】
しかしながら、ＧＰＳ受信機機能を備えた携帯電話機は、まだ高額でもあることから使用者は少ないこともあり、現実的にＧＰＳにより利用者毎の現在位置を調べてからその場所に応じた広告情報の配信をする方法は、コストもかかり一般の利用者が利用しにくいという問題がある。
【発明の開示】
【発明が解決しようとする課題】
【０００６】
本発明は、ＧＰＳ受信機機能を備えた携帯電話機を使用しないでも、利用者の現在位置を特定可能にして、その場所に応じた近辺のレストラン、喫茶店、ショップやバーゲン、イベントなど様々な広告情報を利用者の携帯電話機に配信できるようすると共に、利用者がコストをかけることなく、利用者に対して直ぐに活用することができる内容の広告情報を提供できるようにした広告情報配信システムを提供する。
【課題を解決するための手段】
【０００７】
本発明の広告情報配信システムは、利用者が所有する携帯電話機と、自動販売機と、前記携帯電話機及び前記自動販売機と通信可能に接続されたサーバとを用いて、前記携帯電話機に対して広告情報を提供する広告情報配信システムであって、前記携帯電話機は、前記利用者のメールアドレスが記憶された非接触ＩＣ媒体が搭載され、前記自動販売機は、前記非接触ＩＣ媒体からメールアドレスを非接触で読み取る読取手段と、個々の自動販売機を特定するための固有情報が記憶された記憶手段と、前記読取手段で読み取られたメールアドレスと前記固有情報とを前記サーバに送信させる手段とを備え、前記サーバは、前記固有情報と配信用の広告情報とが関係付けられて登録されているデータベースと、前記自動販売機からメールアドレスと固有情報とを受信した場合に、前記データベースに該固有情報と関係付けられて登録されている広告情報を抽出する抽出手段と、前記抽出手段で抽出された広告情報を、前記受信したメールアドレス宛てに配信する配信手段とを有することを特徴とする。
【０００８】
また、本発明の広告情報配信システムは、前記データベースに登録されている個々の広告情報は、設置されている複数の自動販売機の中で、前記広告情報で広告する店舗の場所に対して、もっとも近い場所に設置されている自動販売機を特定する固有情報と関係付けられて登録されていることを特徴とする。
【０００９】
更に、本発明の広告情報配信システムは、前記広告情報が、ＵＲＬ情報、店舗の場所情報、バーゲン情報、イベント情報、のいずれかの情報を含んでいることを特徴とする。
【発明の効果】
【００１０】
本発明の広告情報配信システムは、歩道などに点在して設置されている自動販売機に対して、非接触ＩＣ媒体が搭載され携帯電話機を近づけるだけで、広告情報を受信することができるので、利用者がコストをかけることなく、また高価なＧＰＳ受信機機能を備えた携帯電話機を用いないでも最寄の広告情報を簡単に入手することができるという効果がある。
【００１１】
また、本発明の広告情報配信システムは、自動販売機が設置されている場所近辺にあるレストラン、喫茶店、ショップやバーゲン、イベントなど様々な広告情報を利用者が携帯電話機で受信することができるので、入手した広告情報を直ぐに活用することができるという効果がある。
【００１２】
更に、本発明の広告情報配信システムは、広告情報として、ＵＲＬ情報、店舗の場所情報、バーゲン情報、のいずれかの情報を有しているので、入手した広告情報を直ぐに活用することができるという効果がある。
【発明を実施するための最良の形態】
【００１３】
以下、本発明の実施の形態を図面に基づいて詳細に説明する。
図１は、本発明の実施形態に係る広告情報配信システムの概要構成を説明する図、図２は、本発明の実施形態に係る広告情報配信システムで使用する携帯電話機、自動販売機及びサーバのシステム構成を示すブロック図、図３は、本発明の実施形態に係る広告情報配信システムの処理手順を示すフローチャート図である。
【００１４】
本発明の実施形態に係る広告情報配信システムは、図１に示すように、利用者１が所有する携帯電話機２と、商品を販売するために様々な場所に設置されている自動販売機３と、それらの携帯電話機２及び自動販売機３と通信可能に接続されたサーバ４とにより構成されている。
携帯電話機２とサーバ４とは、移動体通信網５及び通信ネットワーク６を介して通信可能に接続されており、サーバ４から携帯電話機２に対して、ＵＲＬ情報、店舗の場所情報、バーゲン情報、イベント情報、のいずれかの情報を含んでいる広告情報を配信できるように構成されている。
また、自動販売機３とサーバ４とは、通信ネットワーク６を介して通信可能に接続されており、自動販売機３からサーバ４に対して、自動販売機３が携帯電話機２から読み取ったメールアドレス情報と、自動販売機３に予め記憶されている個々の自動販売機を特定するための自販機固有情報とを送信できるように構成されている。
ここで、個々の自動販売機を特定するための自販機固有情報とは、自動販売機を管理する会社が任意に設定することができる。
【００１５】
図２に示すように、携帯電話機２には、表示手段７、入力手段８、電源部９、記憶手段１０、制御手段１１、インターフェース（Ｉ/Ｆ）１２、音声入出力手段１３、デジタル信号処理手段１４、ＲＦ入出手段１５などが備えられている。
更に、携帯電話機３には、非接触ＩＣ媒体２０が着脱可能に内蔵されて設けられている。
この非接触ＩＣ媒体２０には、インターフェース（Ｉ/Ｆ）２１、送受信手段２２、記憶手段２３、制御手段２４などが備えられている。
携帯電話機２のＩ/Ｆ１２と、非接触ＩＣ媒体２０のＩ/Ｆ２１とにより、携帯電話機２と非接触ＩＣ媒体２０との間での信号の送受信が行われる。
【００１６】
非接触ＩＣ媒体２０の記憶手段２３には、予め携帯電話機２の所有者のメールアドレス情報３１が登録されており、携帯電話機２を自動販売機３に近づけることで、非接触方式により非接触ＩＣ媒体２０の記憶手段２３に登録されているメールアドレス情報３１を自動販売機３側で読み取れるようにしてある。
【００１７】
また、自動販売機３には、非接触方式により非接触ＩＣ媒体２０の記憶手段２３に登録されているメールアドレス情報を読み取ることができる読取手段２５と、予め個々の自動販売機を特定するための自販機固有情報３０が記憶されている記憶手段２６と、通信ネットワーク６を介してサーバ４と通信を行うための送受信手段２７と、読取手段２５によりメールアドレス情報が読み取られた場合に、そのメールアドレス情報と、予め記憶手段２６に登録されている自販機固有情報とをサーバ４に対して送信させる送信情報制御手段２８と、制御手段２９などが備えられている。
【００１８】
自動販売機３の記憶手段２６には、制御プログラムが搭載されており、読取手段２５がメールアドレス情報を受信した際に、自販機固有情報３０とメールアドレス情報とをサーバ４に対して送信するように制御されている。
また、サーバ４には、携帯電話機２や自動販売機３と通信を行う送受信手段４１と、制御プログラムなどが記憶された記憶手段４２と、配信する広告情報をデータベース４６から抽出する抽出手段４３と、抽出された広告情報を携帯電話機２に配信する広告情報配信手段４４と、制御手段４５と、予め自販機固有情報と広告情報とが関係付けられて登録されているデータベース４６とが備えられている。
【００１９】
データベース４６に予め登録されている広告情報とは、例えば、ＵＲＬ情報、店舗の場所情報、バーゲン情報、イベント情報、などであり、広告依頼主からの依頼に基づいて広告の内容を設定して登録させておく。
また、データベース４６に登録されている個々の広告情報は、設置されている複数の自動販売機３の中で、広告情報で広告する店舗の場所に対して、もっとも近い場所に設置されている自動販売機３を特定する固有情報と関係付けられて登録されていることが好ましい。
広告情報で広告する店舗の場所が、その店舗にもっとも近い場所に設置されている自動販売機３を特定する固有情報と関係付けられていることで、利用者が直ぐにその店舗に来店できるという効果を有する。
【００２０】
また、広告依頼主は、広告の依頼を行う際に、広告情報を配信する相手先が存在する地域を特定することができる。
この地域の特定としては、複数の自動販売機３が設置されている各々の場所の中から、広告依頼主が広告を行うことで、もっとも広告効果が期待できると予測される場所に設置されている自動販売機３を特定することで、その自動販売機３の自販機固有情報と、配信する広告情報とを関係付けて登録しておくなどして、配信された広告内容を見た利用者が直ぐに来店することができるようにしておくことが広告効果を高める上でも好ましい。
また、ある地域に設置されている複数の自動販売機３の自販機固有情報と、配信する広告情報とを関係付けて登録しておいてもよい。
尚、自動販売機３は、新たに自動販売機の設置を行う際に、設置場所の住所と、その自動販売機３を管理する自販機固有情報とを関係付けたデータベースを構築させておくことで、自販機固有情報からその自動販売機３がどこに設置されているのかを確認できるようにしてある。
【００２１】
これにより、例えば、スーパーマーケットなどの店舗のバーゲン情報などの広告情報を配信する場合でも、その店舗の付近に点在している複数の自動販売機３の自販機固有情報と、配信する広告情報とを関係付けて登録しておけば、その店舗の付近にいる消費者に対して広告情報の配信を行うことができるようにしてある。
また、配信する広告情報の中に、割引きサービスやポイントサービスなどの様々な特典情報を含めておくことで、利用者が積極的に自動販売機３を用いた広告情報の配信サービスを利用するように企画することもできる。
【００２２】
そして、抽出手段４３は、自動販売機３から通信ネットワーク６を介して自販機固有情報とメールアドレス情報とを受信した際に、データベース４６の登録情報の中から受信した自販機固有情報に関係付けられて登録されている広告情報の抽出を行う機能を有している。
また、受信したメールアドレス情報と、抽出された広告情報とは一時的に記憶手段４２に記憶される。
そして、広告情報配信手段４４は、そのメールアドレス宛てに抽出された広告情報の配信を行う機能を有している。
尚、本発明の広告情報配信システムは、携帯電話機２を利用した電子マネーによる自動販売機３からの商品購入と併用させて、商品の購入をした利用者に対して広告情報の配信を行うようにしてもよいし、また、利用者が自動販売機３で商品の購入しない場合でも、広告情報を入手する目的で、携帯電話機２を自動販売機３に近づけてサーバ４から携帯電話機２に広告情報の配信を受けるようにしてもよい。
【００２３】
次に、本発明の実施形態に係る広告情報配信システムの処理手順を、図３に示すフローチャート図に基づいて説明する。
まず、利用者１は、自動販売機３で商品の購入をする際や、広告情報の入手を希望する際などに、所持している携帯電話機２を自動販売機３の読取手段２５が備えられている部分に近づけることで、読取手段２５により自動販売機３からメールアドレス情報を読み取る。（ステップ１）
次に、自動販売機３からサーバ４に対して、携帯電話機２から読み取ったメールアドレス情報と、自動販売機３に登録されている自販機固有情報とを送信する。（ステップ２）
【００２４】
そして、メールアドレス情報と自販機固有情報とを受信したサーバ４は、抽出手段４３により、データベース４６の登録情報の中から受信した自販機固有情報と関係付けられて登録されている広告情報の抽出を行う。（ステップ３）
次に、既に自動販売機３から受信しているメールアドレス宛てに、抽出手段４３により抽出された広告情報を携帯電話機２へ配信を行う。（ステップ４）
そして、携帯電話機２に配信された広告情報は、利用者１の携帯電話機２の表示手段７に表示されることで、利用者が現在入る場所近辺における、ＵＲＬ情報、店舗の場所情報、バーゲン情報、イベント情報、などの配信された広告情報を見ることができる。（ステップ５）
【００２５】
上記のように、本発明の広告情報配信システムは、特に広告する店舗などのその場所の近くにいる利用者に対して、タイムリーに広告情報の配信を行うことができるようにしてあるので、高い広告効果を期待することができる。
【図面の簡単な説明】
【００２６】
【図１】本発明の実施形態に係る広告情報配信システムの概要構成を説明する図である。
【図２】本発明の実施形態に係る広告情報配信システムで使用する携帯電話機、自動販売機及びサーバのシステム構成を示すブロック図である。
【図３】本発明の実施形態に係る広告情報配信システムの処理手順を示すフローチャート図である。
【符号の説明】
【００２７】
１  利用者
２  携帯電話機
３  自動販売機
４  サーバ
５  移動体通信網
６  通信ネットワーク
７  表示手段
８  入力手段
９  電源部
１０，２３，２６，４２  記憶手段
１１，２４，４５  制御手段
１２，２１  インターフェース（Ｉ/Ｆ）
１３  音声入出力手段
１４  デジタル信号処理手段
１５  ＲＦ入出手段
２０  非接触ＩＣ媒体
２２，４１  送受信手段
２８  送信情報制御手段
３０  自販機固有情報
３１  メールアドレス情報
４３  抽出手段
４４  広告情報配信手段
４６  データベース
【図１】
2007304907.tif 000003
【図２】
2007304907.tif 000004
【図３】
2007304907.tif 000005